(57)【要約】【課題】市販収納ラックにて厳重に管理されている薬品等減耗物品日々の使用状況管理において、人為管理時と比較し、管理記録ミス、漏れの回避、及び人的手間の削減を可能とする棚上物品重量変動自動記録管理システムを提供する。【解決手段】本発明は、重量計とＲＦＩＤ通信機能、搭載物品管理機能を一体化した管理用専用計量薄型ボードをラック棚上に搭載し、各々にＲＦＩＤを取付けた管理対象物品をその上に任意配置搭載するのみで、管理用情報端末を接続せずとも日々の管理を簡便に可能とするものである。【選択図】図４
2009261810.tif 000002
【特許請求の範囲】
【請求項１】
ラック棚上に配置する減耗物品の使用状況を管理するシステムであって、
１）平坦なボード上に複数個の減耗物品を任意搭載配置可能とし、その複数個の減耗物品の総重量負荷に耐えうる機械的構造を有し、搭載負荷の総重量をリアルタイムに計測でき、その計測情報をリアルタイムに次工程へ転送可能な重量計部と
２）総ての搭載物品の個々を識別する搭載物品取付RFIDとの交信中継をリアルタイムに可能とし、減耗物品が人為的にボード上から離脱及び復帰時、通信距離の制限でＲＦＩＤとの交信が必ず断、通となる性能を有する平面型アンテナを内蔵あるいは一体化し、交信が断、通の時点で該RFIDのID番号をリアルタイムに次工程へ転送、更に交信が通時点に、即ち減耗物品がボード上復帰時点に、後工程からの送信情報を基に該減耗物品の使用履歴情報を該物品取付RFIDに書き込み制御を行うRFID通信部と、
３）前記重量計部からの情報をリアルタイムに受信し、減耗物品が人為的にボード上から離脱もしくは復帰する直前の搭載物品総重量計測値と離脱もしくは復帰直後の総重量計測値の差を重量変動値として算出し一次記憶する重量変動検知部と、
４）前記RFID通信部からの情報をリアルタイムに受信し、その情報に基づき減耗物品が人為的にボード上から離脱し個々のＲＦＩＤとの交信が断、及び復帰し個々のＲＦＩＤとの交信が通した時点に該RFIDのID番号を一次記憶するRFIDボード面離脱・復帰検知ID番号一次記憶部と、
５）減耗物品が人為的にボード上から離脱、即ち対象物品取付RFIDとの交信断の時点に対象物品が物理的にボード面と既に非接触であることを前提に、また減耗物品が人為的にボード上に復帰、即ち対象物品が物理的にボード面と接触した時点に対象物品取付RFIDとの交信が既に通していることを前提に、前記RFIDボード面離脱・復帰検知ID番号一次記憶部からのID番号と前記重量変動検知部の重量変動値情報をリンクさせ、ID番号、重量変動値とそれら情報が減耗物品ボード上離脱時点もしく復帰時点のものであるかの判別符号を付加しパッケージとして次工程に転送するが、既述リンク処理時、重量変動値単一情報に対し該RFIDが複数存在、即ち減耗物品の人為的離脱、復帰が同一ボード上で同時点に行われた場合は、人為操作ミスとしてリンクは行われず、受け入れた関連情報は総てリセットし、警報発報指令を出力する重量変動値／RFID  ID番号リンク機能部と、
６）前記重量変動値／RFID  ID番号リンク機能部からの情報をリアルタイムに受信し、該物品の使用履歴情報として、そのID番号、重量変動値とそれら情報が減耗物品ボード上離脱時点もしく復帰時点のものであるかの判別符号、月日、時刻を一次記憶するが、その情報が減耗物品ボード上復帰時点の情報であれば、既存記憶情報ＩＤ番号と該当ＩＤ番号を照合し、同一ID番号のボード上離脱時点の物品使用履歴情報が存在すれば、その情報に含まれる重量変動値により双方の重量変動値の差を計算し、その計算結果を該減耗物品の使用量とみなし、その情報に離脱月日、時刻、復帰月日、時刻を付加し該RFID書込み用情報パッケージとしてRFID通信部に転送するRFID管理情報記憶部と、
７）前記重量変動値／RFID  ID番号リンク機能部からの信号をリアルタイムに受信し、人為操作のミスを指摘、再操作を促すための警報を出力する警報出力部と、
８）前記重量計部と、前記RFID通信部と、前記重量変動検知部と、前記RFIDボード面離脱・復帰検知ID番号一次記憶部と、前記重量変動値／RFID  ID番号リンク機能部と、前記RFID管理情報記憶部と、前記警報出力部とを物理的に一体化し容易に人力で持ち運び移動出来る軽量薄型であり、あるいは前記重量計部と、前記RFID通信部と、前記重量変動検知部と、前記RFIDボード面離脱・復帰検知ID番号一次記憶部と、前記重量変動値／RFID  ID番号リンク機能部と、前記RFID管理情報記憶部と、前記警報出力部とを物理的に容易に着脱可能な複数コンポーネントに分割し、それらを収納ラック棚板に搭載及び収納ラック内に組込み、電気的接続を行うことにより既述軽量薄型一体化のものと同一機能を実現するコンポーネント構成型であり、いずれの型においても収納ラック内取付要素のみで管理を可能とする減耗物品管理ボードと、
を備え、減耗物品の時系列的使用状況を管理する必要性が生じた場合、市販の物品収納用ラック棚上に本来物品が搭載される棚板面を覆い重ねる形態で該減耗物品管理ボードあるいは該減耗物品管理ボード構成コンポーネントを収納ラックに組み込みその一部である軽量薄型のＲＦＩＤ通信部を棚板上に搭載した後、更に該ボード面に管理対象減耗物品を任意搭載配置するのみで、管理物品の識別に基づく個々の減耗状況を人為操作及び管理用情報端末とのリンクなしで日々簡便に管理可能とすることを特徴とする棚上物品重量変動自動記録管理システム。
【請求項２】
管理用情報端末を任意の時点に前記減耗物品管理ボードと人為接続し、ボード上に存在する総ての減耗管理対象物品取付RFIDが保持している一定期間内の使用履歴情報を前記RFID通信部を経由して受信し、それらを既に人為入力ファイリングしている物品名称、該ID番号、使用制限量とリンクさせながら、更に使用月日、時刻、減耗重量値をリレーショナルにファイリングする減耗管理物品対応重量変動履歴ファイル部と、前記減耗管理物品対応重量変動履歴ファイル部の情報を種々検索キー即ち、期間指定による時系列使用履歴、品目毎時系列使用履歴、使用頻度過多品目、使用制限量超過品目等にて一覧出力可能な管理帳票出力部と、前記減耗管理物品対応重量変動履歴ファイル部の情報を種々検索キー即ち、期間指定による時系列使用履歴、品目毎時系列使用履歴、使用頻度過多品目、使用制限量超過品目等にて管理用情報端末の画面上にてモニター可能な管理情報モニター部と、を更に備えたことを特徴とする請求項１記載の棚上物品重量変動自動記録管理システム。
【請求項３】
前記重量計部は、平坦なボード上に複数個の減耗物品を任意搭載配置可能とし、その複数減耗物品総重量負荷に耐えうる機械的構造を有し、搭載負荷の総重量をリアルタイムに計測でき、その計測情報をリアルタイムに次工程へ転送可能な機能を備えたことを特徴とする請求項１記載の棚上物品重量変動自動記録管理システム。
【請求項４】
前記RFID通信部は、総ての搭載物品個々を識別する搭載物品取付RFIDとの交信中継をリアルタイムに可能とし、減耗物品が人為的にボード上から離脱及び復帰時、通信距離の制限でＲＦＩＤとの交信が必ず断、通となる性能を有する平面型アンテナを内蔵あるいは一体化し、交信が断、通の時点で該RFIDのID番号をリアルタイムに次工程へ転送、更に交信が通時点に、即ち減耗物品がボード上復帰時点に、後工程からの送信情報を基に該減耗物品の使用履歴情報を該物品取付RFIDに書き込み制御を行う機能を備えたことを特徴とする請求項１記載の棚上物品重量変動自動記録管理システム。
【請求項５】
前記重量変動検知部は、前記重量計部からの情報をリアルタイムに受信し、減耗物品が人為的にボード上から離脱もしくは復帰する直前の搭載物品総重量計測値と離脱もしくは復帰直後の総重量計測値の差を重量変動値として算出し一次記憶する機能を備えたことを特徴とする請求項１記載の棚上物品重量変動自動記録管理システム。
【請求項６】
前記RFIDボード面離脱・復帰検知ID番号一次記憶部は、前記RFID通信部からの情報をリアルタイムに受信し、その情報に基づき減耗物品が人為的にボード上から離脱し個々のＲＦＩＤとの交信が断、及び復帰し個々のＲＦＩＤとの交信が通した時点に該RFIDのID番号を一次記憶する機能を備えたことを特徴とする請求項１記載の棚上物品重量変動自動記録管理システム。
【請求項７】
前記重量変動値／RFID  ID番号リンク機能部は、減耗物品が人為的にボード上から離脱、即ち対象物品取付RFIDとの交信断の時点に対象物品が物理的にボード面と既に非接触であることを前提に、また減耗物品が人為的にボード上に復帰、即ち対象物品が物理的にボード面と接触した時点に対象物品取付RFIDとの交信が既に通していることを前提に、前記RFIDボード面離脱・復帰検知ID番号一次記憶部からのID番号と前記重量変動検知部の重量変動値情報をリンクさせ、ID番号、重量変動値とそれら情報が減耗物品ボード上離脱時点もしく復帰時点のものであるかの判別符号を付加しパッケージとして次工程に転送するが、既述リンク処理時、重量変動値単一情報に対し該RFIDが複数存在、即ち減耗物品の人為的離脱、復帰が同一ボード上で同時点に行われた場合は、人為操作ミスとしてリンクは行われず、受け入れた関連情報は総てリセットし、警報発報指令を出力する機能を備えたことを特徴とする請求項１記載の棚上物品重量変動自動記録管理システム。
【請求項８】
前記RFID管理情報記憶部は、前記重量変動値／RFID  ID番号リンク機能部からの情報をリアルタイムに受信し、該物品の使用履歴情報として、そのID番号、重量変動値とそれら情報が減耗物品ボード上離脱時点もしく復帰時点のものであるかの判別符号、月日、時刻を一次記憶するが、その情報が減耗物品ボード上復帰時点の情報であれば、既存記憶情報ＩＤ番号と該当ＩＤ番号を照合し、同一ID番号のボード上離脱時点の物品使用履歴情報が存在すれば、その情報に含まれる重量変動値により双方の重量変動値の差を計算し、その計算結果を該減耗物品の使用量とみなし、その情報に離脱月日、時刻、復帰月日、時刻を付加し該RFID書込み用情報パッケージとしてRFID通信部に転送する機能を備えたことを特徴とする請求項１記載の棚上物品重量変動自動記録管理システム。
【請求項９】
前記警報出力部は、前記重量変動値／RFID  ID番号リンク機能部からの信号をリアルタイムに受信し、人為操作のミスを指摘、再操作を促すための警報を出力する機能を備えたことを特徴とする請求項１記載の棚上物品重量変動自動記録管理システム。
【請求項１０】
前記減耗物品管理ボードは、前記重量計部と、前記RFID通信部と、前記重量変動検知部と、前記RFIDボード面離脱・復帰検知ID番号一次記憶部と、前記重量変動値／RFID  ID番号リンク機能部と、前記RFID管理情報記憶部と、前記警報出力部とを物理的に一体化し容易に人力で持ち運び移動出来る軽量薄型であり、あるいは前記重量計部と、前記RFID通信部と、前記重量変動検知部と、前記RFIDボード面離脱・復帰検知ID番号一次記憶部と、前記重量変動値／RFID  ID番号リンク機能部と、前記RFID管理情報記憶部と、前記警報出力部とを物理的に容易に着脱可能な複数コンポーネントに分割し、それらを収納ラック棚板に搭載及び収納ラック内に組込み、電気的接続を行うことにより既述軽量薄型一体化のものと同一機能を実現するコンポーネント構成型であり、いずれの型においても収納ラック内取付要素のみで管理を可能とする機能を備えたことを特徴とする請求項１記載の棚上物品重量変動自動記録管理システム。
【請求項１１】
前記減耗管理物品対応重量変動履歴ファイル部は、管理用情報端末を任意の時点に前記減耗物品管理ボードと人為接続し、ボード上に存在する総ての減耗管理対象物品取付RFIDが保持している一定期間内の使用履歴情報を前記RFID通信部を経由して受信し、それらを既に人為入力ファイリングしている物品名称、該ID番号、使用制限量とリンクさせながら、更に使用月日、時刻、減耗重量値をリレーショナルにファイリングする機能を備えたことを特徴とする請求項２記載の棚上物品重量変動自動記録管理システム。
【請求項１２】
前記管理帳票出力部は、前記減耗管理物品対応重量変動履歴ファイル部の情報を種々検索キー即ち、期間指定による時系列使用履歴、品目毎時系列使用履歴、使用頻度過多品目、使用制限量超過品目等にて一覧出力可能な機能を備えたことを特徴とする請求項２記載の棚上物品重量変動自動記録管理システム。
【請求項１３】
前記管理情報モニター部は、前記減耗管理物品対応重量変動履歴ファイル部の情報を種々検索キー即ち、期間指定による時系列使用履歴、品目毎時系列使用履歴、使用頻度過多品目、使用制限量超過品目等にて管理用情報端末の画面上にてモニター可能な機能を備えたことを特徴とする請求項２記載の棚上物品重量変動自動記録管理システム。
【発明の詳細な説明】
【技術分野】
【０００１】
本発明は、減耗物品をラック棚上に任意配置搭載し、それらを日々使用管理する作業において、搭載する減耗物品個々に情報をリード／ライト可能なRFIDを取付け、また一方、搭載負荷重量をリアルタイムに計測可能な重量計機能、搭載物品取付ＲＦＩＤとの交信機能、個々の減耗物品使用状況管理機能を備え物理的に一体化した軽量薄型のボードを市販の物品収納用ラック棚上に本来物品が搭載される棚板面を覆い重ねる形態で搭載し、更にその上にRＦID取付管理対象減耗物品を任意搭載配置するのみで、管理物品の識別に基づく個々の減耗状況管理を日々簡便に可能とすることにより人為管理時と比較し管理記録ミス、漏れの回避及び人的手間の削減に寄与できる棚上物品重量変動自動記録管理システムに関する。
【背景技術】
【０００２】
管理対象として薬剤を例に上げ解説する。薬事法、農薬取締法等、法的規制の強化を背景として毒薬、劇薬、更には農薬の保管管理には、それらを管理する側に様々な形での管理義務が課せられている。昨今これらを支援する管理システムが商品として巷で多数見受けられるが、いずれも高額な商品であり、また運用上の手間の削減及び管理の確実化という観点からは決して十分な評価を得られるものではない。つまり管理作業における人的な過失、手順の漏れ等は完全には回避できず、更には管理環境を想定した場合に、実態に即した最適システムの提供がなされていないのが実情である。
【０００３】
このような背景において発案されたのが本発明である。薬剤管理を例に上げれば、管理のポイントとしては、該当管理エリアに保管される薬剤の使用状況をいかに確実に把握可能であるかという点である。即ち、管理対象薬剤が、何時、どれだけの量消費されたのか、これを漏れなく、誤りなく確実に管理しなければならない。従来の管理システムは、管理対象薬剤の容器にバーコードラベルもしくはＲＦＩＤを貼付、個々の薬剤容器の識別を行っている。具体的にはバーコードの場合、薬剤を管理棚から取出し使用後、該当容器のバーコードを人為的にスキャナで読取り、更に薬剤容器を別置きの電子秤に載せ重量測定を行う。その結果が管理用情報端末に伝送され使用履歴が記録される。つまり薬剤を使用する度に、その手順を忘れず実行する必要がある。個々の薬剤の識別にＲＦＩＤを適用した場合、バーコードの場合より手順としては簡素化される、即ちコードをスキャナで人為読取りさせなくても、管理棚からの持出し、復帰は管理棚に設置されたＲＦＩＤリーダにより自動認識されるためである。しかし電子秤で人為的に重量測定を行う動作は省略できず、人的ミスの要素は排除できない。この重量測定を行う動作を自動化できれば人的ミスの完全な排除が可能となる。また、管理側の実態を想定した場合、専用の管理ラック、専用の管理台を導入することは、管理する施設の問題、投資額の規模から実現性は極めて乏しい。また管理用情報端末の常時起動義務付けは人為ミスの一因となりうると同時に昨今の省エネの観点からも好ましくないと考えている。
【０００４】
これまでの、薬剤管理システムに関しては、重量計とＲＦＩＤリーダを適用したものが知られている（例えば、特許文献１参照）。かかる特許文献１では、専用のＲＦＩＤリーダ付き薬品台を重量計上に単純に重ねたものを考案している。通常薬品は収納ラック内で厳重に管理されているが、背景技術では薬品管理現場の実態を考慮した具体的商品形態が全く示唆されておらず、機能的に目的達成は可能でも実適用面においては多くの課題を残している。特に重量計とＲＦＩＤ付き薬品台相互の物理的関わり、それらの物理的規模、重量、形態等に就いての実運用を想定した具体性が見えない。また、機能実現のため管理サーバに全面的に依存せざるを得ない点は、サーバ故障時の問題、運用者のサーバ起動忘れの問題等を考慮した場合、システムとしての課題は多く完成度は低いものと評価せざるを得ない。
【０００５】
【特許文献１】特開２００７−２４９９１０
【発明の開示】
【発明が解決しようとする課題】
【０００６】
本発明は、減耗物品をラック棚上に任意配置搭載し、それらを日々使用管理する作業において、搭載する減耗物品個々に情報をリード／ライト可能なRFIDを取付け、また一方、搭載負荷重量をリアルタイムに計測可能な重量計機能、搭載物品取付ＲＦＩＤとの交信機能、個々の減耗物品使用状況管理機能を備え物理的に一体化した軽量薄型の減耗物品管理ボードを市販の物品収納用ラック棚上に本来物品が搭載される棚板面を覆い重ねる形態で搭載し、更にその上にRＦID取付管理対象減耗物品を任意搭載配置するのみで、管理物品の識別に基づく個々の減耗状況管理を日々簡便に可能とすることにより人為管理時と比較し管理記録ミス、漏れ、及び人的手間の回避を可能としている。本発明によれば、個々の減耗物品の減耗状況に関する情報、具体的には、ラック内減耗物品管理ボード上からの離脱月日、時刻、ボード上復帰月日、時刻、減耗量（ｇ）は、該減耗物品自身に取付けられたＲＦＩＤに総て記憶させている、つまり減耗物品の棚からの移動管理、使用管理はすべて単一の減耗物品管理ボード内にて日々単独処理され、管理用情報端末の支援は必要としない。ラック棚上の総ての使用管理情報を一定期間毎に運用者がダウンロードし、情報端末経由にてハードコピーとしての一覧表の出力もしくは、情報端末にてモニターする場合のみ、減耗物品管理ボードと管理用情報端末が連結される。このような運用形態であれば、万一の管理用情報端末の故障、管理用情報の起動忘れに対しても問題が生じない。またラック内減耗物品管理ボード上で保管中の減耗物品を他段の減耗物品管理ボード上に移動させても、減耗物品自身のＲＦＩＤが自身の使用情報は総て保持しており、全く問題は生じない。つまり本発明によれば、既述の如き運用面の課題を全面的に解決している。更に管理用の専用ラックを必要とせず、市販の収納ラックの棚板上に該減耗物品管理ボードを搭載するのみで簡便に管理が可能となることは、人的手間の削減もみならず、管理に関する設備投資額を大幅に削減可能である。
【０００７】
つまり、背景技術においては、特に重量計とＲＦＩＤ付き薬品台相互の物理的関わり、それらの物理的規模、重量、形態等に就いての実運用を想定した具体性が見えない。管理の現場において、大型の薬品管理台を複数台設置可能か、そのような管理が実態に鑑み妥当であるか、商品として成立するのかという点が大きな課題である。また、機能実現のため管理サーバに全面的に依存せざるを得ない点は、サーバ故障時の問題、運用者のサーバ起動忘れの問題、省エネの問題等を考慮した場合、システムとしての課題は多く完成度は低いものと評価せざるを得ない。本発明ではそれら課題を解決することにより実用性の高い棚上物品重量変動自動記録管理システムを提供することを目的としている。
【課題を解決するための手段】
【０００８】
上述した課題を解決し、目的を達成するために、本発明の請求項１の棚上物品重量変動自動記録管理システムは、ラック棚上に配置する減耗物品の使用状況を管理するシステムであって、
１）平坦なボード上に複数個の減耗物品を任意搭載配置可能とし、その複数減耗物品総重量負荷に耐えうる機械的構造を有し、搭載負荷の総重量をリアルタイムに計測でき、その計測情報をリアルタイムに次工程へ転送可能な重量計部と
２）総ての搭載物品個々を識別する搭載物品取付RFIDとの交信中継をリアルタイムに可能とし、減耗物品が人為的にボード上から離脱及び復帰時、通信距離の制限でＲＦＩＤとの交信が必ず断、通となる性能を有する平面型アンテナを内蔵あるいは一体化し、交信が断、通の時点で該RFIDのID番号をリアルタイムに次工程へ転送、更に交信が通時点に、即ち減耗物品がボード上復帰時点に、後工程からの送信情報を基に該減耗物品の使用履歴情報を該物品取付RFIDに書き込み制御を行うRFID通信部と、
３）前記重量計部からの情報をリアルタイムに受信し、減耗物品が人為的にボード上から離脱もしくは復帰する直前の搭載物品総重量計測値と離脱もしくは復帰直後の総重量計測値の差を重量変動値として算出し一次記憶する重量変動検知部と、
４）前記RFID通信部からの情報をリアルタイムに受信し、その情報に基づき減耗物品が人為的にボード上から離脱し個々のＲＦＩＤとの交信が断、及び復帰し個々のＲＦＩＤとの交信が通した時点に該RFIDのID番号を一次記憶するRFIDボード面離脱・復帰検知ID番号一次記憶部と、
５）減耗物品が人為的にボード上から離脱、即ち対象物品取付RFIDとの交信断の時点に対象物品が物理的にボード面と既に非接触であることを前提に、また減耗物品が人為的にボード上に復帰、即ち対象物品が物理的にボード面と接触した時点に対象物品取付RFIDとの交信が既に通していることを前提に、前記RFIDボード面離脱・復帰検知ID番号一次記憶部からのID番号と前記重量変動検知部の重量変動値情報をリンクさせ、ID番号、重量変動値とそれら情報が減耗物品ボード上離脱時点もしく復帰時点のものであるかの判別符号を付加しパッケージとして次工程に転送するが、既述リンク処理時、重量変動値単一情報に対し該RFIDが複数存在、即ち減耗物品の人為的離脱、復帰が同一ボード上で同時点に行われた場合は、人為操作ミスとしてリンクは行われず、受け入れた関連情報は総てリセットし、警報発報指令を出力する重量変動値／RFID  ID番号リンク機能部と、
６）前記重量変動値／RFID  ID番号リンク機能部からの情報をリアルタイムに受信し、該物品の使用履歴情報として、そのID番号、重量変動値とそれら情報が減耗物品ボード上離脱時点もしく復帰時点のものであるかの判別符号、月日、時刻を一次記憶するが、その情報が減耗物品ボード上復帰時点の情報であれば、複数個の既存記憶情報ＩＤ番号と照合し同一ID番号のボード上離脱時点の物品使用履歴情報が存在すれば、双方の重量変動値の差を計算し、その計算結果を該減耗物品の使用量とみなし、その情報に離脱月日、時刻、復帰月日、時刻を付加し該RFID書込み用情報パッケージとしてRFID通信部に転送するRFID管理情報記憶部と、
７）前記重量変動値／RFID  ID番号リンク機能部からの信号をリアルタイムに受信し、人為操作のミスを指摘、再操作を促すための警報を出力する警報出力部と、
８）前記重量計部と、前記RFID通信部と、前記重量変動検知部と、前記RFIDボード面離脱・復帰検知ID番号一次記憶部と、前記重量変動値／RFID  ID番号リンク機能部と、前記RFID管理情報記憶部と、前記警報出力部とを物理的に一体化し容易に人力で持ち運び移動出来る軽量薄型であり、あるいは前記重量計部と、前記RFID通信部と、前記重量変動検知部と、前記RFIDボード面離脱・復帰検知ID番号一次記憶部と、前記重量変動値／RFID  ID番号リンク機能部と、前記RFID管理情報記憶部と、前記警報出力部とを物理的に容易に着脱可能な複数コンポーネントに分割し、それらを収納ラック棚板に搭載及び収納ラック内に組込み、電気的接続を行うことにより既述軽量薄型一体化のものと同一機能を実現するコンポーネント構成型であり、いずれの型においても収納ラック内取付要素のみで管理を可能とする減耗物品管理ボードと、を備え、減耗物品の時系列的使用状況を管理する必要性が生じた場合、市販の物品収納用ラック棚上に本来物品が搭載される棚板面を覆い重ねる形態で該減耗物品管理ボードを搭載し、更にその上に管理対象減耗物品を任意搭載配置するのみで、管理物品の識別に基づく個々の減耗状況を人為操作及び管理用情報端末とのリンクなしで日々簡便に管理可能とすることを特徴とする。
【０００９】
次に、本発明の請求項２の棚上物品重量変動自動記録管理システムは、請求項１の棚上物品重量変動自動記録管理システムにおいて、管理用情報端末を任意の時点に前記減耗物品管理ボードと人為接続し、ボード上に存在する総ての減耗管理対象物品取付RFIDが保持している一定期間内の使用履歴情報を前記RFID通信部を経由して受信し、それらを既に人為入力ファイリングしている物品名称、該ID番号、使用制限量とリンクさせながら、更に使用月日、時刻、減耗重量値をリレーショナルにファイリングする減耗管理物品対応重量変動履歴ファイル部と、前記減耗管理物品対応重量変動履歴ファイル部の情報を種々検索キー即ち、期間指定による時系列使用履歴、品目毎時系列使用履歴、使用頻度過多品目、使用制限量超過品目等にて一覧出力可能な管理帳票出力部と、前記減耗管理物品対応重量変動履歴ファイル部の情報を種々検索キー即ち、期間指定による時系列使用履歴、品目毎時系列使用履歴、使用頻度過多品目、使用制限量超過品目等にて管理用情報端末の画面上にてモニター可能な管理情報モニター部と、を更に備えたことを特徴とする。
【００１０】
次に、本発明の請求項３の棚上物品重量変動自動記録管理システムは、請求項１の棚上物品重量変動自動記録管理システムにおいて、前記重量計部は、平坦なボード上に複数個の減耗物品を任意搭載配置可能とし、その複数減耗物品総重量負荷に耐えうる機械的構造を有し、搭載負荷の総重量をリアルタイムに計測でき、その計測情報をリアルタイムに次工程へ転送可能な機能を備える構成とされたことを特徴とする。
【００１１】
次に、本発明の請求項４の棚上物品重量変動自動記録管理システムは、請求項１の棚上物品重量変動自動記録管理システムにおいて、前記RFID通信部は、総ての搭載物品個々を識別する搭載物品取付RFIDとの交信中継をリアルタイムに可能とし、減耗物品が人為的にボード上から離脱及び復帰時、通信距離の制限でＲＦＩＤとの交信が必ず断、通となる性能を有する平面型アンテナを内蔵あるいは一体化し、交信が断、通の時点で該RFIDのID番号をリアルタイムに次工程へ転送、更に交信が通時点に、即ち減耗物品がボード上復帰時点に、後工程からの送信情報を基に該減耗物品の使用履歴情報を該物品取付RFIDに書き込み制御を行う機能を備える構成とされたことを特徴とする。
【００１２】
次に本発明の請求項５の棚上物品重量変動自動記録管理システムは、請求項１の棚上物品重量変動自動記録管理システムにおいて、前記重量変動検知部は、前記重量計部からの情報をリアルタイムに受信し、減耗物品が人為的にボード上から離脱もしくは復帰する直前の搭載物品総重量計測値と離脱もしくは復帰直後の総重量計測値の差を重量変動値として算出し一次記憶する機能を備える構成とされたことを特徴とする。
【００１３】
次に、本発明の請求項６の棚上物品重量変動自動記録管理システムは、請求項１の棚上物品重量変動自動記録管理システムにおいて、前記RFIDボード面離脱・復帰検知ID番号一次記憶部は、前記RFID通信部からの情報をリアルタイムに受信し、その情報に基づき減耗物品が人為的にボード上から離脱及び復帰したことを検知することにより、即ち個々のRFIDとの交信が、断もしくは通した時点に該RFIDのID番号を一次記憶する機能を備える構成とされたことを特徴とする。
【００１４】
次に、本発明の請求項７の棚上物品重量変動自動記録管理システムは、請求項１の棚上物品重量変動自動記録管理システムにおいて、前記重量変動値／RFID  ID番号リンク機能部は、減耗物品が人為的にボード上から離脱、即ち対象物品取付RFIDとの交信断の時点に対象物品が物理的にボード面と既に非接触であることを前提に、また減耗物品が人為的にボード上に復帰、即ち対象物品が物理的にボード面と接触した時点に対象物品取付RFIDとの交信が既に通していることを前提に、前記RFIDボード面離脱・復帰検知ID番号一次記憶部からのID番号と前記重量変動検知部の重量変動値情報をリンクさせ、ID番号、重量変動値とそれら情報が減耗物品ボード上離脱時点もしく復帰時点のものであるかの判別符号を付加しパッケージとして次工程に転送するが、既述リンク処理時、重量変動値単一情報に対し該RFIDが複数存在、即ち減耗物品の人為的離脱、復帰が同一ボード上で同時点に行われた場合は、人為操作ミスとしてリンクは行われず、受け入れた関連情報は総てリセットし、警報発報指令を出力する機能を備える構成とされたことを特徴とする。
【００１５】
次に、本発明の請求項８の棚上物品重量変動自動記録管理システムは、請求項１の棚上物品重量変動自動記録管理システムにおいて、前記RFID管理情報記憶部は、前記重量変動値／RFID  ID番号リンク機能部からの情報をリアルタイムに受信し、該物品の使用履歴情報として、そのID番号、重量変動値とそれら情報が減耗物品ボード上離脱時点もしく復帰時点のものであるかの判別符号、月日、時刻を一次記憶するが、その情報が減耗物品ボード上復帰時点の情報であれば、既存記憶情報ＩＤ番号と該当ＩＤ番号を照合し、同一ID番号のボード上離脱時点の物品使用履歴情報が存在すれば、その情報に含まれる重量変動値により双方の重量変動値の差を計算し、その計算結果を該減耗物品の使用量とみなし、その情報に離脱月日、時刻、復帰月日、時刻を付加し該RFID書込み用情報パッケージとしてRFID通信部に転送する機能を備える構成とされたことを特徴とする。
【００１６】
次に、本発明の請求項９の棚上物品重量変動自動記録管理システムは、請求項１の棚上物品重量変動自動記録管理システムにおいて、前記警報出力部は、前記重量変動値／RFID  ID番号リンク機能部からの信号をリアルタイムに受信し、人為操作のミスを指摘、再操作を促すための警報を出力する機能を備える構成とされたことを特徴とする。
【００１７】
次に本発明の請求項１０の棚上物品重量変動自動記録管理システムは、請求項１の棚上物品重量変動自動記録管理システムにおいて、前記減耗物品管理ボードは、前記重量計部と、前記RFID通信部と、前記重量変動検知部と、前記RFIDボード面離脱・復帰検知ID番号一次記憶部と、前記重量変動値／RFID  ID番号リンク機能部と、前記RFID管理情報記憶部と、前記警報出力部とを物理的に一体化し容易に人力で持ち運び移動出来る軽量薄型であり、あるいは前記重量計部と、前記RFID通信部と、前記重量変動検知部と、前記RFIDボード面離脱・復帰検知ID番号一次記憶部と、前記重量変動値／RFID  ID番号リンク機能部と、前記RFID管理情報記憶部と、前記警報出力部とを物理的に容易に着脱可能な複数コンポーネントに分割し、それらを収納ラック棚板に搭載及び収納ラック内に組込み、電気的接続を行うことにより既述軽量薄型一体化のものと同一機能を実現するコンポーネント構成型であり、いずれの型においても収納ラック内取付要素のみで管理を可能とする機能を備える構成とされたことを特徴とする。
【００１８】
次に、本発明の請求項１１の棚上物品重量変動自動記録管理システムは、請求項２の棚上物品重量変動自動記録管理システムにおいて、前記減耗管理物品対応重量変動履歴ファイル部は、管理用情報端末を任意の時点に前記減耗物品管理ボードと人為接続し、ボード上に存在する総ての減耗管理対象物品取付RFIDが保持している一定期間内の使用履歴情報を前記RFID通信部を経由して受信し、それらを既に人為入力ファイリングしている物品名称、該ID番号、使用制限量とリンクさせながら、更に使用月日、時刻、減耗重量値をリレーショナルにファイリングする機能を備える構成とされたことを特徴とする。
【００１９】
次に、本発明の請求項１２の棚上物品重量変動自動記録管理システムは、請求項２の棚上物品重量変動自動記録管理システムにおいて、前記管理帳票出力部は、前記減耗管理物品対応重量変動履歴ファイル部の情報を種々検索キー即ち、期間指定による時系列使用履歴、品目毎時系列使用履歴、使用頻度過多品目、使用制限量超過品目等にて一覧出力可能な機能を備える構成とされたことを特徴とする。
【００２０】
次に本発明の請求項１３の棚上物品重量変動自動記録管理システムは、請求項２の棚上物品重量変動自動記録管理システムにおいて、前記管理情報モニター部は、前記減耗管理物品対応重量変動履歴ファイル部の情報を種々検索キー即ち、期間指定による時系列使用履歴、品目毎時系列使用履歴、使用頻度過多品目、使用制限量超過品目等にて管理用情報端末の画面上にてモニター可能な機能を備える構成とされたことを特徴とする。
【００２１】
上述の如く、本発明の棚上物品重量変動自動記録管理システムは、ラック棚上に任意配置搭載する減耗物品個々に情報をリード／ライト可能なRFIDを取付け、また一方、搭載負荷重量をリアルタイムに計測可能な重量計機能、搭載物品取付ＲＦＩＤとの交信機能、個々の減耗物品使用状況管理機能を備え物理的に一体化した軽量薄型の減耗物品管理ボードを市販の物品収納用ラック棚上に本来物品が搭載される棚板面を覆い重ねる形態で搭載し、更にその上にRＦID取付管理対象減耗物品を任意搭載配置するのみで、管理物品の識別に基づく個々の減耗状況管理を日々簡便に可能とすることにより人為管理時と比較し管理記録ミス、漏れの回避及び人的手間の削減を可能とするものであり極めて実効性の高い減耗物品使用状況管理機能を有することを特徴とする。
【００２２】
従って、本発明によれば、減耗物品使用状況管理を確実に可能とし、更に管理用の専用ラックを必要とせず、市販の収納ラックの棚板上に該減耗物品管理ボードを搭載するのみで簡便に管理が可能となることは、人的手間の削減もみならず、管理に関する設備投資額を大幅に削減可能とし減耗物品管理の徹底化の支援に貢献するものである。
【発明の効果】
【００２３】
本発明は、昨今法的規制の厳しい薬品管理に代表される如き減耗物品の管理において、従来限界が見られた管理機能を大幅に前進させるものであり、管理のミス、漏れの回避及び人的手間の削減のみならず管理に関する設備投資額を大幅に削減可能とし減耗物品管理の徹底化支援に貢献するものである。
【発明を実施するための最良の形態】
【００２４】
以下に、添付図面を参照して、この発明に関わる棚上物品重量変動自動記録管理システムの実施の形態を詳細に説明する。但し、本発明の範囲は、図示に限定されるものではない。
【実施例１】
【００２５】
先ず、図１を基に、棚上物品重量変動自動記録管理システム構成イメージに就き説明する。図１は、市販の収納ラック１０１のラック棚板１０２上に重ねるように搭載された減耗物品管理ボード１０４上に減耗物品に相当する薬剤の入った薬剤ボトル１０３が任意位置搭載された様子を示している。収納ラック１０１は通常、スライドもしくは押引扉で施錠管理されている。管理用情報端末１０６は、任意の時点に信号線１０５により減耗物品管理ボード１０４と接続され、ボード上に搭載された総ての管理対象減耗物品取付ＲＦＩＤの情報をダウンロードし、管理帳票出力もしくは管理情報モニター用に供する。尚、管理用情報端末は通常は接続しておく必要はなく、減耗物品管理ボード１０４のみで一切の管理作業が可能である。
【００２６】
次に、図２を基に減耗物品管理ボードと減耗物品交信イメージに就き説明する。
ラック棚板１０２上に重ねるように搭載された減耗物品管理ボード１０４上に減耗物品に相当する薬剤の入った薬剤ボトル１０３が任意位置搭載された様子を示している。各薬剤ボトル１０３にはＲＦＩＤ２０１が取付けられている。このＲＦＩＤ２０１は情報の読出し、書込み機能を有し、また減耗物品管理ボード１０４に内臓されるアンテナとの交信機能も有しているが、薬剤ボトルが人為的に減耗物品管理ボード１０４上から離脱及び復帰時、通信距離の制限でＲＦＩＤとアンテナ間の交信は必ず断、通となる。
【００２７】
次に、図３を基に減耗物品管理ボード構成概略に就き説明する。
一体の薄型、計量構造物の中に、重量センサを内臓した重量計部３０１、ＲＦＩＤ通信平面アンテナを内蔵したＲＦＩＤ通信部３０２、情報管理部３０３の機能が物理的に含まれている。底面が本来のラック棚板接触面３０６に相当し物品搭載パネル３０５上に減耗物品を搭載し、人為的に対象物品をボード上から離脱、復帰させると、その重量変動に伴い物品搭載表面パネル面３０５は矢印にて示す如く上下に移動する。この変化を重量センサ３０４が検知する。
【００２８】
次に、図４を基に棚上物品重量変動自動記録管理システム機能系統に就き説明する。
図の太枠内が、減耗物品管理ボード１０４に相当し、このボードのみで減耗物品管理が可能である。
太枠外の要素機能に就いては、管理用情報端末が減耗物品管理ボード１０４に人為接続された場合にのみ活きる機能である。重量計測部４０３は、重量センサ３０４からの信号を受信し更に搭載負荷の総重量としてリアルタイムに計測値に変換、その計測情報をリアルタイムに重量変動検知部４０６に転送する。またＲＦＩＤ通信平面アンテナ４０１は、総ての搭載物品個々を識別する搭載物品取付RFIDとの交信中継をリアルタイムに可能とし、減耗物品が人為的にボード上から離脱及び復帰時、通信距離の制限でＲＦＩＤとの交信が必ず断、通となる性能を有している。ＲＦＩＤリード／ライト制御部４０２は、リード時、ＲＦＩＤから情報を読出し、ライト時、ＲＦＩＤに情報を書込む作業をＲＦＩＤ通信平面アンテナ４０１経由にて行う。また重量変動検知部４０６は重量計測部４０３からの情報をリアルタイムに受信し、減耗物品が人為的にボード上から離脱もしくは復帰する直前の搭載物品総重量計測値と離脱もしくは復帰直後の総重量計測値の差を重量変動値として算出し一次記憶する。またRFIDボード面離脱・復帰検知ID番号一次記憶部４０４は、RFIDリード／ライト制御部４０２からの情報をリアルタイムに受信し、その情報に基づき減耗物品が人為的にボード上から離脱及び復帰したことを検知することにより、即ち個々のRFIDとの交信が、断もしくは通した時点に該RFIDのID番号を一次記憶する。
【００２９】
また重量変動値／RFID  ID番号リンク機能部４０５は、減耗物品が人為的にボード上から離脱、即ち対象物品取付RFIDとの交信断の時点に対象物品が物理的にボード面と既に非接触であることを前提に、また減耗物品が人為的にボード上に復帰、即ち対象物品が物理的にボード面と接触した時点に対象物品取付RFIDとの交信が既に通していることを前提に、RFIDボード面離脱・復帰検知ID番号一次記憶部４０４からのID番号と重量変動検知部４０６の重量変動値情報をリンクさせ、ID番号、重量変動値とそれら情報が減耗物品ボード上離脱時点もしく復帰時点のものであるかの判別符号を付加しパッケージとしてＲＦＩＤ管理情報記憶部４０７に転送するが、既述リンク処理時、重量変動値単一情報に対し該RFIDが複数存在、即ち減耗物品の人為的離脱、復帰が同一ボード上で同時点に行われた場合は、人為操作ミスとしてリンクは行われず、受け入れた関連情報は総てリセットする。またRFID管理情報記憶部４０７は重量変動値／RFID  ID番号リンク機能部４０５からの情報をリアルタイムに受信し、該物品の使用履歴情報として、そのID番号、重量変動値とそれら情報が減耗物品ボード上離脱時点もしく復帰時点のものであるかの判別符号、月日、時刻を一次記憶するが、その情報が減耗物品ボード上復帰時点の情報であれば、既存記憶情報ＩＤ番号と該当ＩＤ番号を照合し、同一ID番号のボード上離脱時点の物品使用履歴情報が存在すれば、その情報に含まれる重量変動値により双方の重量変動値の差を計算し、その計算結果を該減耗物品の使用量とみなし、その情報に離脱月日、時刻、復帰月日、時刻を付加し該RFID書込み用情報パッケージとしてRFIDリード／ライト制御部４０２に転送する。また警報出力部４０８は重量変動値／RFID  ID番号リンク機能部４０５からの信号をリアルタイムに受信し、人為操作ミス即ち複数の管理物品を同時に人為操作したことを指摘、再操作、即ち物品を一個ずつ順次操作するよう促すための警報を出力する。
【００３０】
減耗管理物品対応重量変動履歴ファイル部４１１は、管理用情報端末を任意の時点に減耗物品管理ボードと人為接続し、ボード上に存在する総ての減耗管理対象物品取付RFIDが保持している一定期間内の使用履歴情報をRFIDリード／ライト制御部４０２を経由して受信し、それらを既に人為入力ファイリングしている物品名称、該ID番号、使用制限量とリンクさせながら、更に使用月日、時刻、減耗重量値をリレーショナルにファイリングする機能を有している。また管理帳票出力部４１２は、減耗管理物品対応重量変動履歴ファイル部４１１の情報を種々検索キー即ち、期間指定による時系列使用履歴、品目毎時系列使用履歴、使用頻度過多品目、使用制限量超過品目等にて一覧出力可能な機能を有している。また管理情報モニター部４１３は、減耗管理物品対応重量変動履歴ファイル部４１１の情報を種々検索キー即ち、期間指定による時系列使用履歴、品目毎時系列使用履歴、使用頻度過多品目、使用制限量超過品目等にて管理用情報端末の画面上にてモニター可能な機能を有している。
【００３１】
次に、図５を基に減耗物品移動に伴う各種信号変化相互関連に就き説明する。
図中下部に記す各時点（Ｔ１〜Ｔ２０）に基づき以下解説する。先ずＴ１の時点において重量計測値５０１が変動している。この場合重量計測値が低下しており減耗物品管理ボード上の減耗物品Ａがボード面上から離脱した状態である。ボード上物品取付ＲＦＩＤ交信信号Ａ  ５０２は、重量変動後、対象ＲＦＩＤがボード面から一定距離はなれるまでの遅れ時間ｔ１を経て、Ｔ２の時点において断となる。このＴ２の時点にボード上物品離脱時重量計測値記録タイミング信号５０４がＯＮする。即ち重量変動値とＲＦＩＤ  ＩＤ番号（Ａ）がリンク、更にその情報に月日、時刻が付加され、一時的に内部記憶される。またＴ３の時点においてボード上物品取付ＲＦＩＤ交信信号Ａ  ５０２が通となり、減耗物品Ａが減耗物品管理ボードに接触するまでの遅れ時間ｔ２を経て、Ｔ４の時点において重量計測値  ５０１が変動している。このＴ４の時点においては、ボード上物品復帰時重量計測値記録タイミング信号５０５と重量変動該当物品取付ＲＦＩＤ情報書込タイミング信号５０６がＯＮしている。この時点に、重量変動値とＲＦＩＤ  ＩＤ番号（Ａ）がリンク、更にその情報に月日、時刻が付加され、一時的に内部記憶される同時に、既存記憶情報ＩＤ番号と該当ＩＤ番号（Ａ）とを照合し同一ID番号のボード上離脱時点の物品使用履歴情報を抽出し、その情報に含まれる重量変動値により双方の重量変動値の差（ΔＷ１）を計算し、その計算結果を使用量とみなし該当ＲＦＩＤに情報として書込みを行う。またその時点において、該当ＩＤ番号相当のボード上離脱、復帰に関する内部一次記憶情報は、リセットされ、該当情報は、該当物品取付ＲＦＩＤにのみ記憶されることになる。Ｔ５からＴ８に就いては、減耗物品管理ボード上の減耗物品Ｂの離脱、復帰に関する動作で、既述Ｔ１からＴ４の経緯と同様であり解説は省略する。
【００３２】
Ｔ９の時点は、重量計測値が変動、低下しており減耗物品管理ボード上の減耗物品がボード面上から離脱した状態であるが、Ｔ１０の時点でボード上物品取付ＲＦＩＤ交信信号Ａ  ５０２及びボード上物品取付ＲＦＩＤ交信信号Ｂ  ５０３が、同時に断となっている。即ち減耗物品管理ボード上の減耗物品Ａ，Ｂを同時に人為離脱操作したことになる。この場合、重量変動値とＩＤ番号のリンク作業が不可能であるため、既述の如き一連の処理は一切行わず、ボード上物品複数同時操作警報信号５０７をＯＮし、物品操作人物に注意喚起、及び順次操作すべく促す。既述警報に促されＴ１１の時点に、物品操作人物が減耗物品Ｂを一旦ボード上に復帰させており、ボード上物品取付ＲＦＩＤ交信信号Ｂ  ５０３が通となっている。この信号Ｂが通となって以降、減耗物品Ｂが減耗物品管理ボードに接触するまでの遅れ時間を経て重量計測値５０１がＴ１２の時点に上昇している。この時点においては、減耗物品Ａが単独でボード上から離脱したのと同一の状態とみなせる。従って、以降の処理は既述Ｔ２時点以降と同様とする。その後、Ｔ１３の時点に重量計測値５０１が低下している、この重量変動後、対象減耗物品取付ＲＦＩＤがボード面から一定距離はなれるまでの遅れ時間を経て、Ｔ１４の時点においてボード上物品取付ＲＦＩＤ交信信号Ｂ  ５０３が断となっている。以降の処理は既述Ｔ６時点以降と同様とする。つぎにＴ１５の時点でボード上物品取付ＲＦＩＤ交信信号Ａ  ５０２及びボード上物品取付ＲＦＩＤ交信信号Ｂ  ５０３が、同時に通となっている。即ち減耗物品管理ボード上の減耗物品Ａ，Ｂを同時に人為復帰操作したことになる。この場合、重量変動値とＩＤ番号のリンク作業が不可能であるため、既述の如き一連の処理は一切行わず、ボード上物品複数同時操作警報信号５０７をＯＮし、物品操作人物に注意喚起、及び順次操作すべく促す。既述警報に促されＴ１７の時点に、物品操作人物が減耗物品Ａを一旦ボード上から離脱させており、重量計測値５０１が低下している。
ボード上物品取付ＲＦＩＤ交信信号Ａ  ５０２は、この重量変動後、対象ＲＦＩＤがボード面から一定距離はなれるまでの遅れ時間を経て、Ｔ１８の時点において断となる。この場合、この時点において減耗物品Ｂが単独でボード上に復帰したのと同一の状態とみなせる。従って、以降の処理は既述Ｔ７時点以降と同様とする。その後Ｔ１９の時点以降の処理は、既述Ｔ３時点以降と同様とする。
【００３３】
次に、図６を基に減耗管理物品対応重量変動履歴ファイル構成に就き説明する。
このファイルは、管理用情報端末を任意の時点に減耗物品管理ボードと人為接続し、ボード上に存在する総ての減耗管理対象物品取付RFIDが保持している一定期間内の使用履歴情報をRFIDリード／ライト制御部を経由して受信し、それらを既に人為入力ファイリングしている物品名称、該ID番号、使用制限量とリンクさせながら、更に使用月日、時刻、減耗重量値をリレーショナルにファイリングする機能を有しており、そのファイル構成を示している。
【００３４】
さて、これまで本発明の実施の形態に就いて説明したが、本発明は既述した実施の形態以外にも、上記特許請求の範囲に記載した技術的思想の範囲内において種々異なる実施の形態に実施されてもよいものである。
【００３５】
実施例において説明した各処理の内、自動的に行われるものとして説明した処理の全部または一部を人為作業にて行うことも可能である。またあるいは人為的に行うものとして説明した処理の全部または一部を公知の方法で自動的に行うこともできる。この他、既述文章中で示した処理手順、具体的名称に就いては、特記する場合を除いて任意に変更することができる。
また図示した各構成要素は機能概念的なものであり、必ずしも物理的に図示の如く構成されていることを要しない。
【産業上の利用可能性】
【００３６】
本発明に係る棚上物品重量変動自動記録管理システムは、減耗物品使用状況管理に有用である。
【図面の簡単な説明】
【００３７】
【図１】棚上物品重量変動自動記録管理システム構成イメージ図
【図２】減耗物品管理ボードと減耗物品交信イメージ図
【図３】減耗物品管理ボード構成概略図
【図４】棚上物品重量変動自動記録管理システム機能系統図
【図５】減耗物品移動に伴う各種信号変化相互関連図
【図６】減耗管理物品対応重量変動履歴ファイル構成図
【符号の説明】
【００３８】
１０１  収納ラック
１０２  ラック棚板
１０３  薬剤ボトル
１０４  減耗物品管理ボード
１０５  信号線
１０６  管理用情報端末
２０１  ＲＦＩＤ
２０２  棚板支持金具
３０１  重量計部
３０２  ＲＦＩＤ通信部
３０３  情報管理部
３０４  重量センサ
３０５  物品搭載表面パネル
３０６  ラック棚板接触面
４０１  ＲＦＩＤ通信平面アンテナ
４０２  ＲＦＩＤリード／ライト制御部
４０３  重量計測部
４０４  ＲＦＩＤボード面離脱・復帰検知ＩＤ番号一次記憶部
４０５  重量変動値／ＲＦＩＤ  ＩＤ番号リンク機能部
４０６  重量変動検知部
４０７  ＲＦＩＤ管理情報記憶部
４０８  警報出力部
４１１  減耗管理物品対応重量変動履歴ファイル部
４１２  管理帳票出力部
４１３  管理情報モニター部
５０１  重量計測値
５０２  ボード上物品取付ＲＦＩＤ交信信号Ａ
５０３  ボード上物品取付ＲＦＩＤ交信信号Ｂ
５０４  ボード上物品離脱時重量計測値記録タイミング信号
５０５  ボード上物品復帰時重量計測値記録タイミング信号
５０６  重量変動該当物品取付ＲＦＩＤ情報書込みタイミング信号
５０７  ボード上物品複数同時操作警報信号
【図１】
2009261810.tif 000003
【図２】
2009261810.tif 000004
【図３】
2009261810.tif 000005
【図４】
2009261810.tif 000006
【図５】
2009261810.tif 000007
【図６】
2009261810.tif 000008